(57)【要約】本発明の実施形態は、光ファイバプラグ、光ファイバアダプタ、および光ファイバコネクタアセンブリを提供し、通信分野に関する。光ファイバプラグは、フェルールと、フェルールの外側にスリーブ付けされたスリーブと、スリーブ上に回転可能にスリーブ付けされたロックキャップとを備える。少なくとも１つのロックブロックは、ロックキャップの内壁に配置される。ロックブロックは、光ファイバアダプタ上のロックスロットと係合されロックされるように構成される。２つのストップブロックは、ロックキャップの内壁に配置される。２つのストップブロックは、ロックキャップの周方向に沿って間隔を置いて配置される。ストップロッドは、スリーブの外壁に配置され、ストップロッドは、ロックキャップが２つのストップブロックにより限定される角度範囲内でスリーブに対して相対的に回転するように２つのストップブロックの間に位置する。スリーブを光ファイバアダプタに対して周方向に位置合わせすることにより光ファイバプラグと光ファイバアダプタが相互接続されるとき、ロックキャップが任意の位置までスリーブに対して相対的に回転する場合に、ロックブロックはロックスロットの角状の開口部からロックスロット上のロック位置に導かれることができる。光ファイバプラグの使用中、操作は簡単であり時間がかからない。
2019533191.tif 000002
【特許請求の範囲】
【請求項１】
フェルールと、前記フェルールの外側にスリーブ付けされたスリーブと、前記スリーブ上に回転可能にスリーブ付けされたロックキャップとを備えた光ファイバプラグであって、少なくとも１つのロックブロックは前記ロックキャップの内壁に配置され、前記ロックブロックは光ファイバアダプタ上のロックスロットと係合されロックされるように構成され、
２つのストップブロックは前記ロックキャップの前記内壁に配置され、前記２つのストップブロックは前記ロックキャップの周方向に沿って間隔を置いて配置され、ストップロッドは前記スリーブの外壁に配置され、前記ストップロッドは、前記ロックキャップが前記２つのストップブロックにより限定される角度範囲内で前記スリーブに対して相対的に回転するように前記２つのストップブロックの間に位置し、
前記スリーブを前記光ファイバアダプタに対して周方向に位置合わせすることにより前記光ファイバプラグと前記光ファイバアダプタが相互接続されるとき、前記ロックキャップが任意の位置まで前記スリーブに対して相対的に回転する場合に、前記ロックブロックは前記ロックスロットの角状の開口部から前記ロックスロット上のロック位置に導かれることができる、光ファイバプラグ。
【請求項２】
前記２つのストップブロックにより限定される前記角度範囲は３０度から９０度である、請求項１に記載の光ファイバプラグ。
【請求項３】
２つのロックブロックは、前記ロックキャップの前記内壁に配置され、前記２つのロックブロック間の相対的な円周角は１８０度である、請求項１または２に記載の光ファイバプラグ。
【請求項４】
前記スリーブの少なくとも一部は前記ロックキャップの一端から突出し、前記スリーブの端部であり、前記ロックキャップから突出する端部には前記光ファイバアダプタの位置決めキーと係合される開口スロットが設けられ、前記開口スロットは前記スリーブの端部から同軸的に延出する、請求項１から３のいずれか一項に記載の光ファイバプラグ。
【請求項５】
前記スリーブの前記開口スロットの開口部は角状である、請求項４に記載の光ファイバプラグ。
【請求項６】
前記スリーブの端部であり、前記ロックキャップから突出する前記端部は前記フェルールの端面から突出する、請求項４に記載の光ファイバプラグ。
【請求項７】
前記光ファイバプラグはさらに、サブアセンブリ防塵キャップを備え、前記サブアセンブリ防塵キャップの外壁には前記ロックブロックと係合されるロックスロットが設けられる、請求項１から６のいずれか一項に記載の光ファイバプラグ。
【請求項８】
前記光ファイバプラグはさらに、テールアセンブリを備え、前記テールアセンブリの一端は光ケーブルに固定的に接続され、前記テールアセンブリの他端は前記ロックキャップの一端に当接し、前記光ケーブルから延出する光ファイバは前記テールアセンブリを介して前記フェルール内に入る、請求項１から７のいずれか一項に記載の光ファイバプラグ。
【請求項９】
前記光ファイバプラグはさらに、前記ロックキャップ内に納められたカップリングシャフトを備え、前記フェルールは前記カップリングシャフトの一端に配置され、前記カップリングシャフトの前記一端は前記スリーブに当接し、前記カップリングシャフトの他端は前記テールアセンブリ内に配置され、前記光ファイバが通るチャネルは前記カップリングシャフトの内部に設けられる、請求項８に記載の光ファイバプラグ。
【請求項１０】
前記テールアセンブリは、ゴム製熱収縮スリーブと、圧着リングと、テールシースを含み、前記圧着リングは前記カップリングシャフトの前記他端上にスリーブ付けされ、前記圧着リングは、前記光ケーブルの補強部材を前記カップリングシャフト上に緊密に圧着するように構成され、前記ゴム製熱収縮スリーブの一端は前記光ケーブルを覆い、前記ゴム製熱収縮スリーブの他端は前記カップリングシャフトの前記他端および前記圧着リングを覆い、前記テールシースは前記カップリングシャフトおよび前記ゴム製熱収縮スリーブ上にスリーブ付けされ、前記テールシースの一端は前記ロックキャップの他端に当接する、請求項９に記載の光ファイバプラグ。
【請求項１１】
ソケットを含む光ファイバアダプタであって、前記ソケットの一端の端面には光ファイバプラグのフェルールを収納するように構成されたキャビティが設けられ、前記ソケットの外壁には少なくとも１つのロックスロットが設けられ、前記ロックスロットは前記光ファイバプラグ上のロックブロックと係合されロックされるように構成され、
前記ロックスロットの開口部は角状であり、前記光ファイバプラグのスリーブを前記光ファイバアダプタに対して周方向に位置合わせすることにより前記光ファイバプラグと前記光ファイバアダプタが相互接続されるとき、前記ロックブロックは前記ロックスロットの前記角状の開口部から前記ロックスロット上のロック位置に導かれることができる、光ファイバアダプタ。
【請求項１２】
前記ソケットの前記一端の前記端面にはさらに、リング形状のスロットが設けられ、前記スロットは前記キャビティの外周部周りに配置され、前記光ファイバプラグの開口スロットと係合される位置決めキーは前記スロット内に配置される、請求項１１に記載の光ファイバアダプタ。
【請求項１３】
前記光ファイバアダプタはさらに、アダプタ防塵キャップを含み、前記ロックスロットと係合されるロックブロックは前記アダプタ防塵キャップの外壁上に配置される、請求項１１または１２に記載の光ファイバアダプタ。
【請求項１４】
光ファイバコネクタアセンブリであって、前記光ファイバコネクタアセンブリは、請求項１から１０のいずれか一項に記載の前記光ファイバプラグと、請求項１１から１３のいずれか一項に請求項に記載の前記光ファイバアダプタとを備えた光ファイバコネクタアセンブリ。
【発明の詳細な説明】
【技術分野】
【０００１】
本発明は、光ファイバ通信分野に関し、特に光ファイバプラグ、光ファイバアダプタおよび光ファイバコネクタアセンブリに関する。
【背景技術】
【０００２】
光ファイバコネクタアセンブリは、それによって光ファイバが取り外し可能に（リムーバブルに）接続されるデバイスである。光ファイバコネクタアセンブリは主に二つの部分、光ファイバプラグと光ファイバアダプタを含む。
【０００３】
既存の光ファイバコネクタアセンブリにおいて、光ファイバプラグおよび光ファイバアダプタは通常、分散不能のねじ接続形式で接続されロックされる。したがって、ロックおよび取り外しの間、複数の回転円が必要である。このため、操作は複雑で比較的時間がかかる。
【発明の概要】
【０００４】
本発明の実施形態は、以下の問題を解決するために光ファイバプラグ、光ファイバアダプタ、および光ファイバコネクタアセンブリを提供する。光ファイバプラグおよび光ファイバアダプタは分散不能のねじ接続形式で接続されロックされるので、ロッキングおよび取り外しの間の操作は複雑で比較的時間がかかる。技術的解決策は以下の通りである。
【０００５】
第１の態様によれば、本発明の実施形態は、フェルールと、フェルールの外側にスリーブ付けされたスリーブと、スリーブ上に回転可能にスリーブ付けされたロックキャップとを備えた光ファイバプラグであって、少なくとも１つのロックブロックはロックキャップの内壁に配置され、ロックブロックは光ファイバアダプタ上のロックスロットと係合されロックされるように構成され、
２つのストップブロックはロックキャップの内壁に配置され、２つのストップブロックはロックキャップの周方向に沿って間隔を置いて配置され、ストップロッドはスリーブの外壁に配置され、ストップロッドは、ロックキャップが２つのストップブロックにより限定される角度範囲内でスリーブに対して相対的に回転するように２つのストップブロック間に位置し、
スリーブを光ファイバアダプタに対して周方向に位置合わせすることにより光ファイバプラグと光ファイバアダプタが相互接続されるとき、ロックキャップが任意の位置までスリーブに対して相対的に回転する場合に、ロックブロックはロックスロットの角状の開口部からロックスロット上のロック位置に導かれることができる、光ファイバプラグを提供する。
【０００６】
本発明のこの実施形態では、光ファイバがフェルール内に収納されている。光ファイバ接続中、光ファイバプラグと光ファイバアダプタとが相互接続され得、光ファイバが光ファイバアダプタの別の側に接続された光ファイバプラグ（共通光ファイバプラグ）の光ファイバに相互接続される。スリーブは光ファイバプラグのフェルールの外側に配置され、ロックキャップはスリーブの外側に回転制限されてスリーブ付けされ得、ロックブロックはロックキャップの内壁に配置され、その結果、ロックブロックは光ファイバアダプタ上のロックスロットと係合されロックされる。特定のロッキングの間、スリーブの外壁上のストップロッドと一致する２つのストップブロックがさらにロックキャップの内壁上に配置されるので、ロックキャップは２つのストップブロックによって制限される角度範囲内でスリーブに対して回転する。スリーブを光ファイバアダプタと円周方向に位置合わせすることによって光ファイバプラグと光ファイバアダプタとが相互接続されるとき、ロックキャップが任意の位置までスリープに対して相対的に回転する場合に、ロックブロックはロックスロットの角状の開口部からロックスロット上のロック位置に誘導されることができる。すなわち、フェルールおよびスリーブが光ファイバアダプタ内に挿入されていれば、ロックブロックはロックスロット上のロック位置に誘導されることができ、それによりロッキングおよび締結が完了する。光ファイバプラグが光ファイバアダプタに接続され、または光ファイバアダプタから取り外される場合、ねじ接続方式のように複数の回転円を実行する必要がない。したがって、操作は単純で時間もかからない。
【０００７】
ロックブロックの形状としては、直方体、角錐台、円柱、円錐台を含むが、これらに限定されない。
【０００８】
ストップブロックの形状は、直方体、角錐台、円柱、および円錐台を含むが、これらに限定されない。
【０００９】
第１の態様に関し、第１の態様の第１の実装において、２つのストップブロックにより限定される角度範囲は３０度から９０度である。
【００１０】
この実装において、２つのストップブロックによって制限される角度範囲は、３０度から９０度に設定されている。したがって、一方では、ロックブロックの回転範囲が過度に大きくならず、ロック時のロックキャップの回転振幅が小さくなり、ユーザの操作が容易になる。他方、ロックブロックの回転範囲は、光ファイバプラグと光ファイバアダプタとの間で得られるロッキング効果を確保するために過度に小さくはない。
【００１１】
好ましくは、２つのストップブロックによって制限される角度範囲は４５度である。
【００１２】
第１の態様または第１の態様の第１の実装に関し、第１の態様の第２の実装において、２つのロックブロックは、ロックキャップの内壁に配置され、２つのロックブロック間の相対的な円周角は１８０度である。
【００１３】
この実装において、光ファイバプラグと光ファイバアダプタとの間で得られるロッキング効果は、２つの対称的に分布したロックブロックを配置し、次いで光ファイバアダプタに２つのロックスロットを対応して配置することによって補強され得る。
【００１４】
第１の態様、または第１の態様の第１の実装または第２の実装に関し、第１の態様の第３の実装において、スリーブの少なくとも一部はロックキャップの一端から突出し、スリーブの端部であり、ロックキャップから突出する端部には光ファイバアダプタの位置決めキーと係合される開口スロットが設けられ、開口スロットはスリーブの端部から同軸的に延出する。
【００１５】
この実装において、スリーブは軸方向に配置された開口スロットを備え、開口スロットは光ファイバアダプタの位置決めキーと係合して光ファイバプラグおよび光ファイバアダプタを位置決めし、光ファイバプラグを光ファイバアダプタに相互接続するように構成される。この場合、開口スロットと光ファイバアダプタとの間の相互接続を容易にするために、スリーブの一部がロックキャップの外に延出している。
【００１６】
第１の態様の第３の実装に関し、第１の態様の第４の実装において、光ファイバプラグと光ファイバアダプタとの間の相互接続を容易にするために、スリーブの開口スロットの開口部は角状をしている。
【００１７】
第１の態様の第３の実装に関し、第１の態様の第５の実装において、スリーブの端部であり、ロックキャップから突出する端部はフェルールの端面から突出するため、ロックキャップはフェルールを保護し得る。
【００１８】
第１の態様または第１の態様の第１の実装から第５の実装のいずれか一つに関し、第１の態様の第６の実装において、光ファイバプラグはさらに、サブアセンブリ防塵キャップを備え、サブアセンブリ防塵キャップの外壁にはロックブロックと係合されるロックスロットが設けられる。
【００１９】
この実装において、サブアセンブリ防塵キャップは、光ファイバプラグが光ファイバアダプタに挿入される前に光ファイバプラグを水および塵埃から保護するように構成されている。
【００２０】
サブアセンブリ防塵キャップのロックスロットの構造は、サブアセンブリ防塵キャップと光ファイバプラグとの相互接続を容易にするために、光ファイバアダプタのロックスロットの構造と同じであってもよい。
【００２１】
第１の態様または第１の態様の第１の実装から第６の実装のいずれか一つに関し、第１の態様の第７の実装において、光ファイバプラグはさらに、テールアセンブリを備え、テールアセンブリの一端は光ケーブルに固定的に接続され、テールアセンブリの他端はロックキャップの一端に当接し、光ケーブルから延出する光ファイバはテールアセンブリを介してフェルール内に入る。
【００２２】
この実装において、テールアセンブリは、光ファイバプラグと光ケーブルとの間で得られる結合および密封効果を確実にするように配置される。
【００２３】
第１の態様の第７の実装に関し、第１の態様の第８の実装において、光ファイバプラグはさらに、ロックキャップ内に納められたカップリングシャフトを備え、フェルールはカップリングシャフトの一端に配置され、カップリングシャフトの一端はスリーブに当接し、カップリングシャフトの他端はテールアセンブリ内に配置され、光ファイバが通るチャネルはカップリングシャフトの内部に設けられる。
【００２４】
この実装において、カップリングシャフトは、テールアセンブリを通過した後、光ファイバがテールアセンブリとフェルールとの間の接続を実施するように、カップリングシャフトを介してフェルールに到達できることを確実にするように配置される。
【００２５】
第１の態様の第７の実装に関し、第１の態様の第９の実装において、テールアセンブリは、ゴム製熱収縮スリーブと、圧着リングと、テールシース（ｔａｉｌ  ｓｅａｔｈ）を含み、圧着リングはカップリングシャフトの他端上にスリーブ付けされ、圧着リングは、光ケーブルの補強部材をカップリングシャフト上に緊密に圧着するように構成され、ゴム製熱収縮スリーブの一端は光ケーブルを覆い、ゴム製熱収縮スリーブの他端はカップリングシャフトの他端および圧着リングを覆い、テールシースはカップリングシャフトおよびゴム製熱収縮スリーブ上にスリーブ付けされ、テールシースの一端はロックキャップの他端に当接する。
【００２６】
この実装において、テールアセンブリは、ゴム製熱収縮スリーブ、圧着リング、およびテールシースを含む。ゴム製熱収縮スリーブの一端は光ケーブルを覆い、ゴム製熱収縮スリーブの他端は圧着リングを覆っているので、光ケーブルはゴム製熱収縮スリーブの内側を通ってカップリングシャフトに入る。ゴム製熱収縮スリーブは、テールアセンブリの密封および締結効果を確実にするために、熱収縮形式でカップリングシャフトおよび光ケーブルに圧着している。次に、光ケーブルの補強部材を圧着リングを用いてカップリングシャフトにしっかりと圧着させて締結を実施する。最後に、テールシースは、保護を実施するためにゴム製熱収縮スリーブ上にスリーブ付けされる。
【００２７】
また、光ファイバプラグは、弾性部材をさらに備える。弾性部材は、カップリングシャフトとロックキャップとの間に配置されている。弾性部材の一端は、カップリングシャフトがフェルールに接続されている一端のシャフト肩部に当接し、弾性部材の他端はロックキャップの内部キャビティのシャフト肩部に当接する。ロックキャップの内部キャビティのシャフト肩部は、ロックキャップの一端部であって、テールアセンブリの近くに位置する。ロックキャップは、限られた方法でカップリングシャフトに沿って軸方向に短い距離スライドし得る。弾性部材は、接続および緩み防止機能を実施するように、フェルールから離れる方向に沿ってロックキャップに弾性力を与えるように構成される。
【００２８】
弾性部材はバネを含むが、これに限定されない。
【００２９】
なお、光ファイバプラグは、いくつかのシールリングをさらに含む。いくつかのシールリングのうちの１つは、カップリングシャフトとロックキャップとの間に配置されている。いくつかのシールリングのうちの別のシールリングは、ロックキャップと対で使用され、サブアセンブリ防塵キャップとロックキャップとの間で使用されるか、または光ファイバアダプタとロックキャップとの間で使用される。シールリングは、前述の位置でシール効果を達成するように配置されている。シールリングが光ファイバアダプタとロックキャップとの間で使用される場合、防水および防塵密封効果が光ファイバコネクタアセンブリに対して達成され得る。
【００３０】
シールリングは、良好な密封効果を達成するために、好ましくは、上記構造の部材の形状に合うようにＯ字状のシールリングを含んでもよい。
【００３１】
第２の態様によれば、本発明の実施形態は、ソケットを含む光ファイバアダプタであって、ソケットの一端の端面には光ファイバプラグのフェルールを収納するように構成されたキャビティが設けられ、ソケットの外壁には少なくとも１つのロックスロットが設けられ、ロックスロットは光ファイバプラグ上のロックブロックと係合されロックされるように構成され、ロックスロットの開口部は角状をしており、光ファイバプラグのスリーブを光ファイバアダプタに対して周方向に位置合わせすることにより光ファイバプラグと光ファイバアダプタが相互接続される場合に、ロックブロックはロックスロットの角状の開口部からロックスロット上のロック位置に導かれることができる、光ファイバアダプタを提供する。
【００３２】
本発明のこの実施形態では、ソケットの外壁に少なくとも１つのロックスロットが設けられているので、ロックスロットは光ファイバプラグ上のロックブロックと係合してロッキングを実施する。特定のロッキングの間、ロックスロットの開口部が角状であるため、スリーブを光ファイバアダプタと円周方向に位置合わせすることによって光ファイバプラグと光ファイバアダプタとが相互接続されると、ロックブロックはロックスロットの角状の開口部からロックスロット上のロック位置に導かれることが可能であり、ロッキングと締結が完了する。光ファイバアダプタが光ファイバプラグに接続されるかまたは光ファイバプラグから取り外される場合、ねじ接続方式のように複数の回転円を実行する必要はない。したがって、操作は単純で時間もかからない。
【００３３】
ロックスロット上のロック位置は、ロックスロットの底に位置する。
【００３４】
ソケットの外壁は筒状の表面である。
【００３５】
ロックスロットは、水平ロック部と垂直シュート部（すなわち、ロックスロットの開口部）とを含み、水平ロック部は、ソケットの周方向に沿って配置され、垂直シュート部は、ソケットの軸方向に沿って配置されている。水平ロック部と垂直シュート部とは互いに連通している。
【００３６】
好ましくは、垂直シュート部の開口部は角状である。
【００３７】
第２の態様に関し、第２の態様の第１の実装において、ソケットの一端の端面にはさらに、リング形状のスロットが設けられ、スロットはキャビティの外周部周りに配置され、光ファイバプラグの開口スロットと係合される位置決めキーはスロット内に配置される。
【００３８】
この実装において、本発明のこの実施形態では、ソケットはスロットを含み、光ファイバプラグの開口スロットに係合する位置決めキーは、光ファイバプラグと光ファイバアダプタを位置決めし、光ファイバプラグを光ファイバアダプタに相互接続するようにスロット内に配置される。
【００３９】
第２の態様または第２の態様の第１の実装に関し、第２の態様の第２の実装において、光ファイバアダプタはさらに、アダプタ防塵キャップを含み、ロックスロットと係合されるロックブロックはアダプタ防塵キャップの外壁上に配置される。
【００４０】
光ファイバアダプタの防塵キャップのロックブロックの構造は、光ファイバプラグのロックブロックの構造と同じであってもよい。
【００４１】
第３の態様によれば、本発明の実施形態は、第１の態様またはその複数の実装による光ファイバプラグと、第２の態様またはその複数の実装による光ファイバアダプタとを備えた光ファイバコネクタアセンブリを提供する。
【図面の簡単な説明】
【００４２】
本発明の実施形態における技術的解決策をより明確に説明するために、以下、実施形態を説明するために必要な添付図面を簡単に説明する。明らかに、以下の説明における添付図面は、単に本発明のいくつかの実施形態を示しており、当業者は創造的な努力なしにこれらの添付図面から他の図面をなお導出し得る。
【００４３】
【図１】図１は、本発明の実施形態によるアプリケーションシナリオの図である。
【図２】図２は、本発明の実施形態による光ファイバコネクタアセンブリの概略構造図である。
【図３】図３は、本発明の実施形態による光ファイバコネクタアセンブリの概略分解構造図である。
【図４】図４は、本発明の実施形態による光ファイバコネクタアセンブリの概略断面図である。
【図５】図５は、本発明の実施形態による光ファイバプラグの端面概略図である。
【図６】図６は、本発明の実施形態によるソケットの概略構造図である。
【図７】図７は、本発明の実施形態によるスリーブの概略構造図である。
【図８】図８は、本発明の実施形態によるロックキャップの概略構造図である。
【発明を実施するための形態】
【００４４】
本発明の目的、技術的解決策、および効果をより明確にするために、以下さらに、本発明の実施形態を添付図面を参照して詳細に説明する。
【００４５】
本発明の実施形態で提供される技術的解決策の理解を容易にするために、本発明の適用シナリオを図１を参照して最初に説明する。
【００４６】
図１は、ＦＴＴｘ光ネットワークの一部である。ＦＴＴｘは、ＦＴＴＨ（英語：Ｆｉｂｅｒ  Ｔｏ  Ｔｈｅ  Ｈｏｍｅ）であってよく、またはＦＴＴＣ（英語：Ｆｉｂｅｒ  ｔｏ  ｔｈｅ  Ｃｕｒｂｅ）であってよく、またはＦＴＴＰ（英語：Ｆｉｂｅｒ  Ｔｏ  Ｔｈｅ  Ｐｒｅｍｉｓｅｓ）であってよく、またはＦＴＴＮ（英語：Ｆｉｂｅｒ  Ｔｏ  Ｔｈｅ  Ｎｏｄｅ  ｏｒ  Ｎｅｉｇｈｂｏｒｈｏｏｄ）であってよく、またはＦＴＴＯ（英語：Ｆｉｂｅｒ  Ｔｏ  Ｔｈｅ  Ｏｆｆｉｃｅ）であってよく、またはＦＴＴＳＡ（英語：Ｆｉｂｅｒ  Ｔｏ  Ｔｈｅ  Ｓｅｒｖｉｃｅ  ａｒｅａ）であってよい。例としてＦＴＴＨネットワークが使用される。中央機器室から始まる下流方向では、ＦＴＴＨは、フィーダリンク１、１：Ｎスプリッタ２、分配リンク３、１：Ｍスプリッタ４、および少なくとも１つの分岐リンク５を含む。ＮおよびＭは共に正の整数である。本発明のこの実施形態では、光ファイバコネクタアセンブリは、分岐リンク５内の光ファイバを接続するために適用可能である。さらに、本発明ではＦＴＴｘ構造を使用するタイプのネットワークが例として使用されるが、別のネットワーク構造では、本発明のこの実施形態で提供される光ファイバコネクタアセンブリはまた、光ファイバを接続するように構成されてもよい。
【００４７】
図２は、本発明の実施形態による光ファイバコネクタアセンブリの概略構造図である。図２を参照すると、光ファイバコネクタアセンブリは、光ファイバプラグ１０と光ファイバアダプタ２０とを含む。光ファイバプラグ１０は光ファイバアダプタ２０に接続され、それにより光ファイバアダプタ２０と光ファイバプラグ１０両方の内部の光ファイバが相互接続される。
【００４８】
図３は、図２で提供される光ファイバコネクタアセンブリの概略分解構造図である。図４は、光ファイバアダプタと光ファイバプラグの両方の内部の光ファイバが相互接続された後の図２で提供される光ファイバコネクタアセンブリの概略断面図である。
【００４９】
図２から図４を参照すると、光ファイバプラグ１０は、光ファイバ上にスリーブ付けされたフェルール１０１と、フェルール１０１の外側にスリーブ付けされたスリーブ１０２と、スリーブ１０２上に回転自在にスリーブ付けされたロックキャップ１０３とを含む。
【００５０】
図５は、本発明の実施形態に係る光ファイバプラグ１０の端面の概略図である。図５を参照すると、ロックキャップ１０３の内壁には少なくとも１つのロックブロック１３１が配置され、ロックブロック１３１は光ファイバアダプタ２０上のロックスロット２１４（図２を参照）に係合してロックされるように構成されている。
【００５１】
ロックキャップ１０３の内壁にはさらに、２つのストップブロック１３２が配置されている。２つのストップブロック１３２は、ロックキャップ１０３の周方向に間隔をあけて配置されている。ストップロッド１２２はスリーブ１０２の外壁に配置され、またストップロッド１２２は２つのストップブロック１３２間に位置するので、ロックキャップ１０３は、スリーブ１０２に対して２つのストップブロック１３２によって制限された角度範囲内で回転する。スリーブ１０２を光ファイバアダプタ２０と円周方向に位置合わせすることによって光ファイバプラグ１０と光ファイバアダプタ２０とが相互接続されるとき、ロックキャップ１０３がスリーブ１０２に対して任意の位置に回転する場合に、ロックブロック１３１がロックスロット２１４の角状の開口部からロックスロット２１４上のロック位置に導かれることができる。すなわち、ロックキャップ１０３が２つのストップブロック１３２によって制限される角度範囲内の任意の位置でスリーブ１０２に対してとどまるとき、ロックブロック１３１はロックスロット２１４上のロック位置に導かれることができる。
【００５２】
図２から図４を参照すると、光ファイバアダプタ２０はソケット２０１を含む。図６は、本発明の実施形態によるソケット２０１の概略構造図である。図６を参照すると、ソケット２０１の一端の端面には、光ファイバプラグ１０のフェルール１０１を収容するように構成されたキャビティ２１２が設けられている。キャビティ２１２は、光ファイバプラグ１０のフェルール１０１と係合し相互接続するように構成される。ソケット２０１の外壁には少なくとも１つのロックスロット２１４が設けられており、ロックスロット２１４は光ファイバプラグ１０上のロックブロック１３１と係合してロックされるように構成されている。
【００５３】
ロックスロット２１４の開口部は角状に形成されている。スリーブ１０２を光ファイバアダプタ２０と円周方向に位置合わせすることによって光ファイバプラグ１０と光ファイバアダプタ２０とが相互接続されるとき、ロックキャップ１０３がスリーブ１０２に対して任意の位置まで回転する場合に、ロックブロック１３１はロックスロット２１４の角状の開口部からロックスロット２１４上のロック位置に導かれることができる。
【００５４】
本発明のこの実施形態では、光ファイバはフェルール内に収納されている。光ファイバ接続中、光ファイバプラグと光ファイバアダプタは相互接続され、それにより光ファイバは、光ファイバアダプタの他方の側に接続された光ファイバプラグ（一般的な光ファイバプラグ、例えば背景技術に記載のねじ接続形式の光ファイバプラグなど）の光ファイバに相互接続されることができる。スリーブは光ファイバプラグのフェルールの外側に配置され、ロックキャップはスリーブの外側に限定的に回転可能にスリーブ付けされ、ロックブロックはロックキャップの内壁に配置されるので、ロックブロックは光ファイバアダプタ上のロックスロットに係合しロックされる。特定のロッキングの間、スリーブの外壁上のストップロッドと一致する２つのストップブロックがさらにロックキャップの内壁上に配置されるので、ロックキャップは２つのストップブロックによって制限される角度範囲内でスリーブに対して回転する。スリーブを光ファイバアダプタと円周方向に位置合わせすることによって光ファイバプラグと光ファイバアダプタとが相互接続されるとき、ロックキャップがスリーブに対して任意の位置に回転する場合に、ロックブロックがロックスロット上の角状の開口部からロックスロットのロック位置に導かれることができる。すなわち、光ファイバプラグのフェルールおよびスリーブが光ファイバアダプタに相互接続されていれば、ロックキャップのロックブロックはソケットのロックスロットのロック位置に導かれることができ、それによってロッキングおよび締結が完了する。光ファイバプラグが光ファイバアダプタに接続され、または光ファイバアダプタから取り外されるとき、ねじ接続方式のように複数の回転円を実行する必要はない。したがって、操作は単純で時間もかからない。
【００５５】
実装中に、ソケット２０１の端面は円形であってもよい。角状の開口部に対応するラジアンは前述の角度範囲以上であるので、ロックブロックは角状の開口部に任意の角度で挿入されることができる。角状の開口部に対応するラジアンは、ソケット２０１の端面において角状の開口部によって形成される円弧のラジアンである。
【００５６】
図５を参照すると、２つのストップブロック１３２によって制限される角度範囲は、３０度から９０度の範囲であってもよい。すなわち、ロックキャップ１０３は、スリーブ１０２の周りを３０度から９０度の角度範囲内で回転し得る。これに対応して、光ファイバアダプタ２０のロックスロット２１４の開口部に対応するラジアンも３０度から９０度に設定し得る。２つのストップブロック１３２によって制限される角度範囲は、３０度から９０度に設定されている。そのため、一方では、ロックキャップ１０３の回転可能範囲が大きくなり過ぎず、ロッキング中のロックキャップ１０３の回転振幅が小さくなり、操作が容易になる。他方、ロックキャップの回動範囲は、光ファイバプラグ１０と光ファイバアダプタ２０との間のロッキング効果を確保するためには過度に小さくならない。
【００５７】
好ましくは、２つのストップブロック１３２によって制限される角度範囲は４５度である。
【００５８】
図５を参照すると、ロックキャップ１０３の内壁には２つのロックブロック１３１が配置されており、２つのロックブロック１３１間の角度は１８０度である。これに対応して、光ファイバアダプタ２０の外壁には２つのロックスロット２１４（図６を参照）が設けられ、２つのロックスロット２１４は光ファイバアダプタ２０の外壁の両側に対称的に配置されている。光ファイバプラグと光ファイバアダプタとの間で得られるロッキング効果は、２つの対称的に分布したロックブロックを配置することによって補強され得る。
【００５９】
図２に示すように、スリーブ１０２の少なくとも一部は、ロックキャップ１０３の一端から突出している。ロックキャップ１０３から突出するスリーブ１０２の端部には、開口スロット１２１が設けられており、開口スロット１２１はスリーブ１０２の一端から軸方向に延出している。これに対応して、ソケット２０１の一端の端面には、環状のスロット２１１が設けられている。スロット２１１は、キャビティ２１２の外周部周りに配置され、ソケット２０１の軸方向に延出している。スロット２１１は、光ファイバプラグ１０のスリーブ１０２と係合され相互接続されるように構成されている。スロット２１１には、開口スロット１２１と係合している位置決めキー２１３（図６を参照）が配置されている。本発明のこの実施形態では、スリーブと光ファイバアダプタとの間の円周方向の位置合わせは、スリーブ１０２の開口スロット１２１とスロット２１１の位置決めキー２１３との間の位置合わせであってもよい。スリーブの少なくとも一部はロックキャップの一端から突出するので、スリーブは、光ファイバプラグと光ファイバアダプタとの間の相互接続を容易にするために、光ファイバアダプタと円周方向に都合よく位置合わせされることができる。相互接続が完了した後、スロットの位置決めキーがスリーブの開口スロットに挿入され、それによって光ファイバプラグと光ファイバアダプタの円周方向の位置決めが実施される。
【００６０】
図７は、本発明の実施形態によるスリーブの概略構造図である。図７を参照すると、ロックキャップ１０３の開口スロット１２１の開口部は角状であり得るため、光ファイバプラグを光ファイバアダプタに相互接続するのが便利である。角状の開口部の角度αは、１０度から３０度であってもよい。
【００６１】
本発明のこの実施形態では、ロックスロット２１４は、水平ロック部２１４Ａ（前述のロック位置に対応する）と垂直シュート部２１４Ｂ（前述のロックスロット２１４の開口部に対応する）とを含む。水平ロック部２１４Ａは、ソケット２０１の周方向に沿って配置されている。垂直シュート部２１４Ｂは、ソケット２０１の軸方向に沿って配置されている。水平ロック部２１４Ａと垂直シュート部２１４Ｂとは互いに連通している。垂直シュート部２１４Ｂの開口部は、角状である、すなわち前述の角状の開口である。ロックブロック１３１は、垂直シュート部２１４Ｂからスライドインした後、水平ロック部２１４Ａに進入する。ロックキャップ１０３を回転させることにより、ロックブロック１３１が水平ロック部２１４Ａ上のロック位置（水平ロック部２１４Ａ内であって垂直シュート部２１４Ｂから離れた位置）まで回転される。
【００６２】
スリーブ１０２は、シリンダスリーブ形状の物体である。もちろん、図７は一例を示しているにすぎない。スリーブ１０２は、代替的に、楕円形のシリンダスリーブ形状の物体のような他のスリーブ形状の物体でもよい。
【００６３】
図７に示すように、スリーブ１０２の一端には、外向きフランジ１２３が設けられている。ストップロッド１２２は、外向きフランジ１２３の外壁に配置されている。ストップロッド１２２の形状は、シリンダを含むが、これに限定されない。スリーブ１０２の他端には、開口スロット１２１が設けられている。スリーブ１０２を開口スロット１２１が設けられたスリーブ１０２の端部からスリーブ１０２の軸方向に沿って見た場合、スリーブ１０２はＣ字状である。加えて、開口スロット１２１は、外向きフランジ１２３の近くの位置まで軸方向に延出している。従って、一方では、十分に長い開口スロット１２１は、光ファイバプラグが光ファイバアダプタに完全に相互接続されることを保証するために配置される。他方、開口スロット１２１は、スリーブ１０２全体を貫通することができないので、スリーブ１０２の底部はフェルール１０１の位置を制限することができる。
【００６４】
図２から図４を再び参照すると、光ファイバプラグ１０は、サブアセンブリ防塵キャップ１０４をさらに含み得る。サブアセンブリ防塵キャップ１０４は、光ファイバプラグ１０が光ファイバアダプタ２０内に挿入される前に光ファイバプラグ１０を水や埃から保護するように構成されている。ロックブロック１３１と係合するロックスロットは、光ファイバプラグ１０との相互接続を実施するために、サブアセンブリ防塵キャップ１０４の外壁に配置されている。サブアセンブリ防塵キャップ１０４のロックスロットの構造は、光ファイバアダプタ２０のロックスロットの構造と同じでもよい。
【００６５】
図３および図４を参照すると、サブアセンブリ防塵キャップ１０４は、第１のロープ１４１を用いて光ファイバプラグ１０に結合されている。第１のロープ１４１の両端にはそれぞれ接続リング１４１Ａが形成されている。一方の接続リング１４１Ａはサブアセンブリ防塵キャップ１０４上にスリーブ付けされ、他方の接続リング１４１Ａは光ファイバプラグ１０上にスリーブ付けされている。
【００６６】
図２から図４を再び参照すると、光ファイバプラグ１０はテールアセンブリ１０５をさらに含んでよい。テールアセンブリ１０５の一端は光ケーブル１００に固定的に接続され、テールアセンブリ１０５の他端はロックキャップ１０３の一端に当接する。光ケーブル１００から延出する光ファイバは、テールアセンブリ１０５を通ってフェルール１０１に入る。
【００６７】
図２から図４を再び参照すると、光ファイバプラグ１０は、ロックキャップ１０３内に収容されたカップリングシャフト１０６をさらに備えてもよい。カップリングシャフト１０６の一端にはフェルール１０１が配置され、カップリングシャフト１０６の他端は、テールアセンブリ１０５内に配置されている。カップリングシャフト１０６の内側には、光ファイバが通るチャネルが配置されている。
【００６８】
本発明のこの実施形態では、フェルール１０１は、様々な一般的なフェルールタイプのものとすることができる。フェルールタイプは、ＳＣ（英語：Ｓｑｕａｒｅ  Ｃｏｎｎｅｃｔｏｒ）、ＬＣ（英語：Ｌｕｃｅｎｔ  Ｃｏｎｎｅｃｔｏｒ）、ＦＣ（英語：Ｆｅｒｒｕｌｅ  Ｃｏｎｎｅｃｔｏｒ）、およびＭＰＯ（英語：Ｍｕｌｔｉ−ｆｉｂｅｒ  Ｐｕｓｈ  Ｏｎ）を含むがこれらに限定されない。フェルール１０１の前端（光ファイバアダプタ２０に接続された一端）は、スリーブ１０２の内側に位置している。スリーブ１０２のロックキャップ１０３から突出する端部は、フェルール１０１の端面から突出している。フェルール１０１の前端には、通常、セラミックフェルールピンがある。突出スリーブ１０２は、光ファイバプラグ１０の挿抜時にフェルール１０１のセラミックフェルールピンが汚染されるのを防止したり、偶発的な落下時にフェルール１０１のセラミックフェルールピンを保護するために配置されている。
【００６９】
フェルール１０１の後端（前端とは反対側の他端）には、雄ねじが設けられている。雄ねじが設けられているフェルール１０１の端部は、スリーブ１０２の底部を貫通しているので、雄ねじが設けられているフェルール１０１の後端は、雌ねじが設けられているカップリングシャフト１０６の前端に接続されている。光ファイバプラグ１０が光ファイバアダプタ２０に接続されると、フェルール１０１のセラミックフェルールピンが設けられた前端がキャビティ２１２内に挿入される。
【００７０】
実施中に、カップリングシャフト１０６は、その外壁に段差が設けられた円形チューブ構造となり得、カップリングシャフト１０６の前端に雌ねじが設けられ、カップリングシャフト１０６は、当該ねじを使ってフェルール１０１に結合される。
【００７１】
実施中に、テールアセンブリ１０５は、ゴム製熱収縮スリーブ１５１、圧着リング１５２、およびテールシース１５３を含み得る。圧着リング１５２は、カップリングシャフト１０６の他端（後端、すなわち先端の反対側の他端）上にスリーブ付けされ、圧着リング１５２は、光ケーブル１００の補強部材をカップリングシャフト１０６上にしっかりと圧着するように構成される。ゴム製熱収縮スリーブ１５１の一端は光ケーブル１００を覆い、ゴム製熱収縮スリーブ１５１の他端はカップリングシャフトの他端と圧着リング１５２を覆っている。テールシース１５３は、カップリングシャフト１０６とゴム製熱収縮スリーブ１５１上にスリーブ付けされ、テールシース１５３の一端はロックキャップ１０３の他端に当接する。
【００７２】
この実装では、光ケーブルの補強部材（アラミドなど）は、圧着リング１５２を使用して機械的な圧着方法でカップリングシャフト１０６に圧着締結される。
【００７３】
この実装では、ゴム製熱収縮スリーブ１５１は、テールアセンブリ１０５の密封および締結効果を確実にするために、熱収縮するようにカップリングシャフト１０６および光ケーブル１００に密着されている。
【００７４】
テールシース１５３は、円筒形チューブおよび円錐形チューブを含み得る。円筒形チューブの一端は円錐形チューブの一端に接続され、円筒形チューブの他端はカップリングシャフト１０６上にスリーブ付けされ、円錐形チューブの他端はゴム製熱収縮スリーブ１５１上にスリーブ付けされる。
【００７５】
実施中に、カップリングシャフト１０６の他端には少なくとも２つの段差を設けてもよい。最後尾が第１の段差で、第１の段差に近い段差が第２の段差である。圧着リング１５２の一端は、カップリングシャフト１０６の第１の段差に接続されている。具体的には、圧着リング１５２の他端は、第１の段差上にスリーブ付けさてもよく、接続方法は、ねじ接続および圧着接続を含むがこれに限定されない。テールシース１５３は、カップリングシャフト１０６の第２の段差上にスリーブ付けされている。
【００７６】
さらに、サブアセンブリ防塵キャップ１０４の第１のロープ１４１の他方の接続リング１４１Ａは、第２の段差上でスリーブ付けされてもよい。第１のロープ１４１の滑りを回避するために、スナップリング１６１は、第１のロープ１４１を位置決めするように、第２の段差上に配置してもよい。
【００７７】
図８は、本発明の実施形態によるロックキャップの概略構造図である。図８を参照すると、ロックキャップ１０３は、異なる直径を有する複数の円形チューブ構造を含み得る。例えば、図８に示すロックキャップ１０３は、大径円形チューブおよび小径円形チューブを含み得る。大径円形チューブはスリーブ１０２上にスリーブ付けされ、小径円形チューブはカップリングシャフト１０６上にスリーブ付けされる。
【００７８】
図８に示すように、ストップブロック１３２の形状は角錐台であり、ロックブロック１３１の形状は円筒である。もちろん、本発明のこの実施形態では、ロックブロック１３１の形状およびストップブロック１３２の形状はこれに限定されない。例えば、ロックブロック１３１の形状およびストップブロック１３２の形状は、代替的に直方体、円錐台などであってもよい。
【００７９】
ロックキャップ１０３の前端（光ファイバアダプタ２０に接続されている一端）には、光ファイバコネクタアセンブリが接続またはロックされていることを示すために矢印アライメント識別子１３３が設けられている。これに対応して、光ファイバアダプタ２０には、接続状態またはロック状態を識別するための指示識別子２１５（図６を参照）が設けられている。指示識別子２１５は、テキスト（例えば、０および１であり、１は接続状態を識別し、０はロック状態を識別する）、記号、および矢印を含むがこれらに限定されない。図６に示すように、本実施形態では、上記指示識別子２１５として、０、１、および０と１との間に配置された両方向矢印（回転範囲を示す）が用いられている。
【００８０】
さらに、ロックキャップ１０３の外壁には、ロックキャップ１０３に沿って軸方向に延びる第１の溝が設けられている。溝の設計は、ロックキャップ１０３が回転するときに外壁の摩擦を増大させてロックキャップ１０３の回転を容易にする。ロックキャップ１０３には、エッジ切断面１３４が設けられており、このエッジ切断面１３４内には、ロックキャップ１０３の軸と直交する第２の溝が設けられている。第２の溝は、光ファイバプラグの挿抜中の操作の手の感触を改善するために配置される。
【００８１】
エッジ切断面１３４は、ロックキャップ１０３の後端（テールチューブ近傍の端部）に配置されることが好ましい。また、ロックキャップ１０３は、対称に配置された２つのエッジ切断面１３４を含む。
【００８２】
図２から図４を再び参照すると、光ファイバプラグ１０は、弾性部材１０７をさらに含み得る。弾性部材１０７は、カップリングシャフト１０６とロックキャップ１０３との間に配置されている。弾性部材１０７の一端は、カップリングシャフト１０６がフェルール１０１に接続されている一端のシャフト肩部に当接し、弾性部材１０７の他端は、ロックキャップ１０３の内部キャビティのシャフト肩部に当接している。ロックキャップ１０３の内部キャビティのシャフト肩部は、ロックキャップ１０３の一端であり、テールアセンブリ１０５に近接している一端に位置している。ロックキャップ１０３は、限定的な方式でカップリングシャフト１０６に沿って短い距離内で軸方向にスライドし得る。弾性部材１０７は、接続および緩み止め機能を実施するために、フェルール１０１から離れる方向に沿ってロックキャップ１０３に弾性力を与えるように構成される。
【００８３】
弾性部材１０７は、バネを含むがこれに限定されない。
【００８４】
図２から図４を再び参照すると、光ファイバプラグ１０はさらに、いくつかのシールリング１０８を含み得る。いくつかのシールリング１０８のうちの１つは、カップリングシャフト１０６とロックキャップ１０３との間に配置されている。いくつかのシールリング１０８のうちの別のシールリング１０８はロックキャップ１０３と一緒に使用され、サブアセンブリ防塵キャップ１０４とロックキャップ１０３との間で使用される、または光ファイバアダプタ２０とロックキャップ１０３との間で使用される。シールリング１０８は、上記の場所で密封効果を得るために配置される。シールリング１０８が光ファイバアダプタ２０とロックキャップ１０３との間で使用される場合、ＩＰ６８密封効果が光ファイバコネクタアセンブリに対して達成され得る。
【００８５】
シールリング１０８は、良好な密封効果を達成するために、上述の構造部材の形状と一致するように、Ｏ字シールリングであってもよい。
【００８６】
図２から図４および図６を再び参照すると、光ファイバアダプタ２０は、ソケット２０１の他に、セラミックチューブ２０２と、アダプタ防塵キャップ２０３と、ロックナット２０４と、シールリング２０５とをさらに含む。
【００８７】
セラミックチューブ２０２は、光ファイバアダプタ２０のソケット２０１の中央に配置されている。
【００８８】
さらに、光ファイバ相互接続を容易にするために、ソケット２０１の２つの端部には対応する光ファイバサブアセンブリのフェルールの開口部が設けられ、セラミックチューブ２０２はその開口部内に配置され、ソケット２０１の２つの端部から挿入されている２つの光ファイバサブアセンブリのフェルールの内の光ファイバを接続するように構成される。
【００８９】
図２から図４および図６を再び参照すると、光ファイバアダプタ２０は、アダプタ防塵キャップ２０３をさらに含んでもよく、アダプタ防塵キャップ２０３は、光ファイバプラグ２０が光ファイバプラグ１０に接続される前に光ファイバプラグ２０を水および塵埃から保護するように構成される。アダプタ防塵キャップ２０３の外壁には、光ファイバアダプタ２０との相互接続を実施するために、光ファイバプラグ１０のと同じロックブロックが設けられている。光ファイバアダプタ２０が光ファイバプラグ１０に接続されると、アダプタ防塵キャップ２０３がサブアセンブリ防塵キャップ１０４に接続され得る（図８を参照）。
【００９０】
アダプタ防塵キャップ２０３は、第２のロープ２３１を使用してソケット２０１に結合される。接続リング２３１Ａは、第２のロープ２３１の２つの端部にそれぞれ形成されている。一方の接続リング２３１Ａはアダプタ防塵キャップ２０３上にスリーブ付けされ、他方の接続リング２３１Ａはソケット２０１上にスリーブ付けされている。
【００９１】
実施中に、ソケット２０１の外壁は、その外側輪郭が階段状である円形チューブ構造であってもよい。具体的には、ソケット２０１の外側輪郭は、中央に突起を有するフランジであってもよい。ソケット２０１の一方の面は、光ファイバプラグ１０と相互接続するように構成され、ソケット２０１の他方の面は、ソケット２０１と整合する別の光ファイバプラグ（通常は共通の光ファイバプラグ）の挿入および相互接続に使用される。
【００９２】
さらに、アダプタ防塵キャップ２０３の外壁には、光ファイバプラグ１０のロックキャップのと同じ矢印アライメント識別子が設けられている。
【００９３】
図２から図４および図６を再び参照すると、光ファイバアダプタ２０はさらに、ロックナット２０４を含んでもよく、ロックナット２０４は光ファイバアダプタ２０全体を対応する装着キットケースに固定するように構成される。具体的には、装着キットケースの装着孔を通過した後、光ファイバアダプタ２０をロックナット２０４でロックされて締結される。
【００９４】
図２から図４および図６を再び参照すると、光ファイバアダプタ２０はさらに、シールリング２０５を含んでもよい。シールリング２０５は突出側にスリーブ付けされ、アダプタ防塵キャップ２０３と光ファイバアダプタ２０との間で使用される。シールリング２０５は、上述の位置で密封効果を達成するために配置されている。アダプタ用防塵キャップ２０３がサブアセンブリ防塵キャップ１０４に接続されると、シールリング２０５はアダプタ防塵キャップ２０３とサブアセンブリ防塵キャップ１０４との間に位置される。
【００９５】
シールリング２０５は、良好な密封効果を達成するために、上述の構造部材の形状に適合するように、Ｏ字シールリングとしてもよい。
【００９６】
以上の説明は本発明の例示的な実施形態にすぎず、本発明を限定することを意図するものではない。本発明の精神および原理から逸脱することなくなされたいかなる修正、等価な置換、および改良は本発明の保護範囲内に入るものとする。
【図１】
2019533191.tif 000003
【図２】
2019533191.tif 000004
【図３】
2019533191.tif 000005
【図４】
2019533191.tif 000006
【図５】
2019533191.tif 000007
【図６】
2019533191.tif 000008
【図７】
2019533191.tif 000009
【図８】
2019533191.tif 000010
【国際調査報告】
2019533191.tif 000011
2019533191.tif 000012
2019533191.tif 000013
2019533191.tif 000014